(57)【要約】    【課題】  本発明は、落下等により衝撃が加わっても電池蓋が容易に開くことなく、電池収納部と電池蓋との係合部の破損を防止することができる電子機器の電池蓋構造を提供する。    【解決手段】  電池収納室８と電池蓋１７とを係合する係合部として、電池収納室８に爪部８ａ，８ｂ，８ｃと電池蓋１７に爪部１７ａ，１７ｂ，１７ｃをそれぞれ形成すると共に、電池蓋１７のスライド移動に伴って当該電池蓋１７をロックすることが可能な爪部８ｄ，８ｅを電池収納室８の開口部の外周に形成し、且つ爪部１７ｄ，１７ｅを電池蓋１７の内周に設けた。【選択図】      図３
2006302703.tif 000002
【特許請求の範囲】
【請求項１】
電池を収納するための電池収納部を備える筐体と、前記電池収納部の開口部に配設された開閉自在の電池蓋とを備える電子機器の電池蓋構造において、
前記電池収納部に形成された少なくとも１つの第１の係合部に前記電池蓋に形成された少なくとも１つの第２の係合部を係合させて当該電池蓋をロックする係合手段を備え、更に、前記電池蓋のスライド移動に伴って当該電池蓋をロックすることが可能な第３の係合部を前記電池収納部の開口部の外周と前記電池蓋の内周にそれぞれ少なくとも１つ設けたことを特徴とする電子機器の電池蓋構造。
【請求項２】
前記筐体と前記電池蓋との合わせ部の一部には段差が形成され、当該段差の内側に前記第３の係合部を配置したことを特徴とする請求項１記載の電子機器の電池蓋構造。
【請求項３】
前記電池蓋は、前記電池収納部の開口部近傍に設けられた回動中心部を中心に回転自在に取り付けられていることを特徴とする請求項１又は２記載の電子機器の電池蓋構造。
【請求項４】
前記筐体は、前記電池収納部を覆う外装面に手で保持するためのグリップ部を有することを特徴とする請求項１乃至３のいずれか１項に記載の電子機器の電池蓋構造。
【請求項５】
請求項１乃至４のいずれか１項に記載の電池蓋構造を有する撮像装置。
【発明の詳細な説明】
【技術分野】
【０００１】
本発明は、駆動用の電池を筐体内に収納することが可能な電子機器の電池蓋構造及び撮像装置に関するものである。
【背景技術】
【０００２】
従来、デジタルカメラ等の電子機器には、電池を収納し、該電池の一方と接触して通電するための接片が設けられた電池収納部と、収納された電池の他方と接触して通電するための接片を有し、開閉自在に本体に取り付けられた電池蓋と、収納された電池が簡単に脱落しないように電池収納部又は電池蓋にレバー操作によるロック可能なロック機構とを有するものがある。このようなロック機構には、例えば、電池収納部及び電池蓋にそれぞれ係合用の爪部を備え、電池蓋を保持するものがある。
【０００３】
このようなデジタルカメラでは、近年の消費電力の低減により単３電池２本で使用されているものが主流であるが、高倍率で多機能なカメラについては４本使用されているものがある。そのため、多数の電池を使用する必要があるデジタルカメラでは、装着する電池の重さにより電池蓋にかかる荷重が増加する。また、上述した接片の接片圧がチャタリング及び撮影時間等の関係で高くなる。そこで、安定した接片圧を保持し、電池蓋とカメラ本体との合わせ部の隙間を出来難くする電池収納部と電池蓋とが求められている。
【０００４】
また、このようなデジタルカメラでは、デザイン的な配慮により電池蓋とカメラ本体との合わせ部が同一の曲面で構成されているものがある。近年、ヒンジ軸を中心に開閉自在な電池蓋を電池収納部に設け、カメラ本体側に電池のプラス側に対応した脱落防止用リブ設けて電池蓋の開く方向への電池飛び出しを阻止するように構成されたカメラが提案されている（特許文献１参照）。
【特許文献１】特開２００２−３６５７０７号公報（第４頁、図７）
【発明の開示】
【発明が解決しようとする課題】
【０００５】
上記従来のデジタルカメラでは、落下等によりカメラ本体に加わった衝撃で電池蓋が容易に開いてしまい、電池が脱落するという問題がある。
【０００６】
また、カメラ本体又は電池収納部と電池蓋とを係合する爪部が落下時の衝撃等で折れた場合は、電池収納部と電池蓋が完全に閉じきらなくなってしまうという問題がある。また、折れた爪部が尖っていた場合などは不用意に触ってしまうと怪我をするおそれがある。また、この状態で電池を電池収納部に挿入して電池蓋を閉じたとしても、爪部が十分に係合しないことから電池蓋とカメラ本体との合わせ部に隙間ができ、デザイン性を損ねるという問題がある。
【０００７】
上記特許文献１で提案されたカメラでは、電池収納部と電池蓋との係合手段がなく、ロック機構が１箇所しかないため、落下等により電池蓋に衝撃が加わったときには電池蓋が容易に開くおそれがある。また、電池蓋の上下が係合していないため、電池蓋がパクツキやすく、品質を損ねるおそれがある。
【０００８】
本発明は、上記問題に鑑みて成されたものであり、落下等により衝撃が加わっても電池蓋が容易に開くことなく、電池収納部と電池蓋との係合部の破損を防止することができる電子機器の電池蓋構造及び撮像装置を提供することを目的とする。
【課題を解決するための手段】
【０００９】
上記目的を達成するために、請求項１記載の電子機器の電池蓋構造は、電池を収納するための電池収納部を備える筐体と、前記電池収納部の開口部に配設された開閉自在の電池蓋とを備える電子機器の電池蓋構造において、前記電池収納部に形成された少なくとも１つの第１の係合部に前記電池蓋に形成された少なくとも１つの第２の係合部を係合させて当該電池蓋をロックする係合手段を備え、更に、前記電池蓋のスライド移動に伴って当該電池蓋をロックすることが可能な第３の係合部を前記電池収納部の開口部の外周と前記電池蓋の内周にそれぞれ少なくとも１つ設けたことを特徴とする。
【発明の効果】
【００１０】
本発明によれば、電池収納部に形成された少なくとも１つの第１の係合部に電池蓋に形成された少なくとも１つの第２の係合部を係合させて当該電池蓋をロックする係合手段を備え、更に、電池蓋のスライド移動に伴って当該電池蓋をロックすることが可能な第３の係合部を電池収納部の開口部の外周と電池蓋の内周にそれぞれ少なくとも１つ設けたので、電子機器の落下等の衝撃により電池蓋が開閉して電池が脱落しても係合部の破損を防止することができる。
【発明を実施するための最良の形態】
【００１１】
以下、本発明の実施の形態について図面を参照して詳細に説明する。
【００１２】
図１は、本発明の実施の形態に係る電池蓋構造が適用された電子スチルカメラの斜視図である。
【００１３】
図１において、本電子スチルカメラ（以下、単に「カメラ」という）は、当該カメラの外装であるカメラ筐体１と、撮影光学系を構成する鏡筒２と、小型のＬＣＤ（Liquid Crystal Display）で構成されユーザが被写体像を観察するための電子ビューファインダ（以下、単に「ファインダ」という）３と、電源ボタン４と、レリーズボタン５と、撮影モードなどを変更するためのモードダイアル６と、ポップアップ式のストロボ７とを備える。カメラ筐体１の背面部には、図示しないファインダ接眼部や液晶表示パネル、操作キー等が配設される。
【００１４】
図２は、図１の電子スチルカメラの正面図である。
【００１５】
カメラ筐体１には、ユーザがカメラを手でホールドするためのグリップカバー３０が設けられている。電池収納室８は、カメラ駆動用の電池を収納するための構造を有し、グリップカバー３０の内側にあってカメラ筐体１に内蔵されている。電池蓋１７は、電池収納室８に収納された電池が脱落しないように構成された蓋である。
【００１６】
従来、グリップカバー３０と電池蓋１７との合わせ部は、デザイン等を考慮して同一面を構成していたが、本実施の形態では、グリップカバー３０と電池蓋１７との間には段差Ｚが設けられている。この段差Ｚを利用して、後述する電池収納室８と電池蓋１７とを係合するための爪部がそれぞれに配設されている。
【００１７】
グリップサブカバー３０ａは、グリップカバー３０の一部に別部品として配設させている。これにより、カメラをホールドするときに確実にグリップさせることができ、滑りづらくなる。グリップサブカバー３０ａ自体をゴム等の弾性部材で構成したり、表面にゴム調塗装することでホールド感を向上させることができる。さらに、デザイン上のアクセントにもなる。
【００１８】
次に、図２の電池収納室８及び電池蓋１７について詳細に説明する。
【００１９】
図３は、カメラ筐体１に内蔵された電池収納室８の構成を示し、（ａ）は正面図、（ｂ）側面図である。図４は、カメラ筐体１に取り付けられる電池蓋１７の構成を示し、（ａ）は電池蓋１７の上面図、（ｂ）は側面図である。
【００２０】
図示のように、電池収納室８に形成された爪部８ａ，８ｂ，８ｃ，８ｄ，８ｅが、電池蓋１７に形成された爪部１７ａ，１７ｂ，１７ｃ，１７ｄ，１７ｅにそれぞれ係止される。穴８ｆは、後述するシャフトを通して電池蓋１７を回転自在に構成するために電池収納室８に形成されたヒンジ穴である。
【００２１】
電池収納室８と電池蓋１７を係合する手段として、電池収納室８には爪部８ａ，８ｂ，８ｃ（第１の係合部）が形成され、電池蓋１７には爪部１７ａ，１７ｂ，１７ｃ（第１の係合部）が形成されていた。本発明の実施の形態では、グリップカバー３０と電池蓋１７との間に段差Ｚを設け、その段差Ｚの範囲に電池収納室８に爪部８ｄ，８ｅ（第２の係合部）を形成する共に、電池蓋１７に爪部１７ｄ，１７ｅ（第２の係合部）をそれぞれ形成している。
【００２２】
図５は、図３の電池収納室８の内部構成を示す分解斜視図である。図６は、図４の電池蓋１７の内部構成を示す分解斜視図である。
【００２３】
図５において、電池収納室部材９は、電池収納室８に形成された不図示のボス等の位置決め手段により位置決めされ、パッチン及びビス等の係止手段により保持されている。
【００２４】
電池接片Ａ１０、電池接片Ｂ１１、及び電池接片Ｃ１２は、電池収納室８に形成された不図示の開口部にそれぞれパッチン等の係止手段で保持されている。電池接片Ｂ１１上に形成された端子部１１ａと電池接片Ｃ１２上に形成された端子部１２ａは、不図示のフレキシブルプリント基板に半田付けされている。
【００２５】
時計電池接片Ａ１３、時計電池接片Ｂ１４、及び時計電池カバー１５は、電池収納室８上に形成された不図示のボス等の位置決め手段により位置決めされ、ビス等の係止手段で保持される。時計電池接片Ａ１３上に形成された端子部１３ａと時計電池接片Ｂ１４上に形成された端子部１４ａは、一方が不図示のケーブルワイヤーに半田付けされ、他方が不図示のフレキシブルプリント基板に半田付け若しくはコネクターで接続されている。
【００２６】
時計電池ホルダー１６は、不図示の時計電池を収納し、電池収納室８上に形成された不図示の開口部にパッチン等の係止手段で保持される。このとき、収納された時計電池は、時計電池接片Ａ１３と時計電池接片Ｂ１４に接触して電気的導通がなされる。
【００２７】
本実施の形態では、電池収納室８と電池収納室部材９とが別体に構成されている。これは、電池収納室８の型構造上の理由で構成できなかったためであるが、電池収納室８と電池収納室部材９とが一体に構成されていてもよい。
【００２８】
図６において、電池蓋１７上には長穴１７ｆが形成されている。長穴１７ｆには、ロックレバー１８上に形成された不図示の操作ツマミ部が摺動可能に係止される。スライドバネ１９は、ロックレバー１８上に形成された不図示のバネ掛け部と電池蓋１７上に形成された不図示のリブ部に配設されている。ロックレバー１８はスライドバネ１９の付勢力によって図６中の矢印Ａ方向に付勢されている。
【００２９】
スライド部材Ａ２０は、ロックレバー１８の上側に摺動可能に配設されている。ロックレバー１８上に形成されたボス１８ａとスライド部材Ａ２０上に形成されたカム溝２０ａが摺動可能に嵌合されている。更に、カム溝２０ａとカム溝２０ｂは、電池蓋１７上に形成されたボス１７ｇと摺動可能に嵌合されている。
【００３０】
スライド部材Ｂ２１は、スライド部材Ａ２０の上側に摺動可能に配設されている。ストッパー部材２６は、スライド部材Ｂ２１上に形成された長穴２１ａに摺動可能に嵌合し、電池蓋１７上に形成されたボス１７ｈにネジ等の係止手段により保持される。
【００３１】
接片部材Ａ２３と接片部材Ｂ２４に形成された不図示のボスは、電池接片Ｄ２２上に形成された不図示の穴にそれぞれ溶着等の係止手段で保持される。さらにその電池接片Ｄ２２上に形成された不図示の穴とスライド部材Ｂ２１上に形成された不図示のボスがそれぞれ溶着等の係止手段で保持される。アース部材２５は、一方の電池接片Ｄ２２に同時に溶着されている。
【００３２】
このアース部材２５に形成された不図示の曲げ部端は、スライド部材Ａ２０上に形成された不図示の端部と常時当接している。このように当接させる理由としては、スライド部材Ａ２０が金属であった場合、電池蓋１７に保持されているロックレバー１８上に形成された不図示の操作ツマミ部（外観筐体側）からの静電気等の気中放電でＧＮＤ或いは電池接片Ｄ２２に落とさなければ問題となってしまうためである。本実施の形態では、スライド部材Ａ２０が金属製として想定していることから、アース部材２５で電池接片Ｄ２２と導通させている。なお、スライド部材Ａ２０は金属製であるが、樹脂等の絶縁部材で形成させれば、アース部材２５は不要である。
【００３３】
電池収納室８上に形成された穴８ｆとスライド部材Ａ２０上に形成された曲げ穴２０ｃとオープンバネ２９がシャフト２７により回転摺動可能に嵌合し、電池収納室８の不図示の係止手段で保持されている。オープンバネ２９は、電池蓋１７がオープン状態になるように付勢されている。
【００３４】
ロックレバー１８上に形成されたスイッチ押し部１８ｂは、不図示のフレキシブルプリント基板上に実装されている検知スイッチ２８を押すための突起である。検知スイッチ２８は、スイッチ押し部１８ｂにより押されている状態で電気的に導通され、電池蓋１７が閉じていることを検知する。
【００３５】
次に、電池収納室８と電池蓋１７の動作について説明する。
【００３６】
図７は、電池蓋１７が閉じられた状態の電池収納室８及び電池蓋１７の断面図である。図８は、電池蓋１７をスライドさせた状態の電池収納室８及び電池蓋１７の断面図である。図９は、電池蓋１７が開いた状態の電池収納室８及び電池蓋１７の断面図である。
【００３７】
図７において、電池蓋１７が閉じられた状態にあるときは、電池収納室８上に形成された爪部８ａ，８ｂ，８ｃ，８ｄ，８ｅが電池蓋１７上に形成された爪部１７ａ，１７ｂ，１７ｃ，１７ｄ，１７ｅにそれぞれ係止されて電池蓋１７が保持されている。
【００３８】
その状態から電池蓋１７を開く際は、まず、ロックレバー１８上に形成された不図示の操作ツマミ部を図６中の矢印Ｂ方向に動作させる。そのとき、ロックレバー１８上に形成されたボス１８ａがスライド部材Ａ２０上に形成されたカム溝２０ａに沿って移動することによって、図６中の矢印Ｃ方向に電池蓋１７がスライドし、電池収納室８上に形成された爪部８ａ，８ｂ，８ｃ，８ｄ，８ｅと電池蓋１７上に形成された爪部１７ａ，１７ｂ，１７ｃ，１７ｄ，１７ｅの係止がはずれる。その結果、電池蓋１７の保持力が無くなり、オープンバネ２９の付勢力によって、電池収納室８上に形成された穴８ｆとスライド部材Ａ２０上に形成された曲げ穴２０ｃを支持するシャフト２７を中心として電池蓋１７が回動して当該電池蓋１７が開かれる。
【００３９】
一方、電池蓋１７を閉じる際は、オープンバネ２９の付勢力に逆らう方向に電池蓋１７を回動し、電池収納室８に突き当たった際に、電池蓋１７を図中４の矢印Ｄ方向にスライドさせる。そのとき、ロックレバー１８上に形成されたボス１８ａがスライド部材Ａ２０上に形成されたカム溝２０ａに沿って移動し、ロックレバー１８上に形成された不図示の操作ツマミ部がスライドバネ１９の付勢力によって図中４の矢印Ａ方向に移動することにより電池蓋１７が閉じられる。この結果、爪部８ａ，８ｂ，８ｃ，８ｄ，８ｅが爪部１７ａ，１７ｂ，１７ｃ，１７ｄ，１７ｅにそれぞれ係止され、電池蓋１７が確実に保持される。
【００４０】
上記実施の形態によれば、電池収納室８と電池蓋１７とを係合する係合部として、電池収納室８に爪部８ａ，８ｂ，８ｃと電池蓋１７に爪部１７ａ，１７ｂ，１７ｃをそれぞれ形成すると共に、電池蓋１７のスライド移動に伴って当該電池蓋１７をロックすることが可能な爪部８ｄ，８ｅを電池収納室８の開口部の外周に形成し、且つ爪部１７ｄ，１７ｅを電池蓋１７の内周に設けたので、カメラ筐体１が落下等により衝撃を受けても、当該衝撃を電池収納室８に形成された複数の爪部８ａ，８ｂ，８ｃ，８ｄ，８ｅ及び電池蓋１７に形成された複数の爪部１７ａ，１７ｂ，１７ｃ，１７ｄ，１７ｅに分散させることができ、当該爪部の破損を防止することができる。
【００４１】
また、上述した段差Ｚの範囲内に爪部８ｄ，８ｅ及び爪部１７ｄ，１７ｅを設けたことにより、電池収納室８内に多数の電池を装着して電池蓋１７を閉じた場合でも、電池蓋１７とカメラ筐体１との間に隙間ができ難くなり、デザイン性を損ねず且つ安定した接片圧を保持しやすくなり、チャタリング及び撮影時間のばらつきを防止することができる。
【００４２】
上記実施の形態では、電池蓋１７は、電池を収納する電池収納室８の開口部の近傍に設けられたヒンジを中心に回転自在に構成されているが、カメラ筐体１から脱着可能な構成であっても本発明と同様の効果が得られる。
【００４３】
また、上記実施の形態では、電子スチルカメラに適用された電池蓋構造について説明したが、これに限らず、他の電子機器に適用してもよいことは云うまでもない。
【図面の簡単な説明】
【００４４】
【図１】本発明の実施の形態に係る電池蓋構造が適用された電子スチルカメラの斜視図である。
【図２】図１の電子スチルカメラの正面図である。
【図３】カメラ筐体１に内蔵された電池収納室８の構成を示し、（ａ）は正面図、（ｂ）側面図である。
【図４】カメラ筐体１に取り付けられる電池蓋１７の構成を示し、（ａ）は電池蓋１７の上面図、（ｂ）は側面図である。
【図５】図３の電池収納室８の内部構成を示す分解斜視図である。
【図６】図４の電池蓋１７の内部構成を示す分解斜視図である。
【図７】電池蓋１７が閉じられた状態の電池収納室８及び電池蓋１７の断面図である。
【図８】電池蓋１７をスライドさせた状態の電池収納室８及び電池蓋１７の断面図である。
【図９】電池蓋１７が開いた状態の電池収納室８及び電池蓋１７の断面図である。
【符号の説明】
【００４５】
１  カメラ筐体
８  電池収納室
８ａ〜８ｅ  爪部
９  電池収納室部材
１７  電池蓋
１７ａ〜１７ｅ  爪部
１８  ロックレバー
１９  スライドバネ
２７  シャフト
３０  グリップカバー
【図１】
2006302703.tif 000003
【図２】
2006302703.tif 000004
【図３】
2006302703.tif 000005
【図４】
2006302703.tif 000006
【図５】
2006302703.tif 000007
【図６】
2006302703.tif 000008
【図７】
2006302703.tif 000009
【図８】
2006302703.tif 000010
【図９】
2006302703.tif 000011